(57)【要約】【課題】特定された電線挿通方向のみから電線を挿通できて逆方向からの挿入を確実に防止する。【解決手段】カレントトランス５の電線貫通孔５ａに対して推奨される電線挿入方向は矢印Ａ方向とされている。カレントトランス５の右側には挿入補助部材９が、又左側には逆挿入防止部材８が取り付けられている。逆挿入防止部材８には、電線通路１０が形成され、この電線通路１０の天井壁部１０ｃ１はこれと対応する電線貫通孔５ａの天井壁部５ａ１と同じ高さで連続し、且つカレントトランス５の電線挿通方向厚みの２倍以上の長さを有し、電線通路１０の床壁部１０ｃ２は、一方側開口１０ａ部分で電線貫通孔５ａの床壁部５ａ２より低くなっていて両床壁部間に段差１１が形成されている。【選択図】図１
2011198058.tif 000002
【特許請求の範囲】
【請求項１】
プログラマブルコントローラ本体に貫通型カレントトランスを設けて構成され、前記貫通型カレントトランスが有する電線貫通孔に対する電線の挿入方向が特定されたプログラマブルコントローラであって、
前記貫通型カレントトランスの前記電線貫通孔の前記電線出口側となる出口側端面に一面部が接触して前記プログラマブルコントローラ本体又は前記貫通型カレントトランスに取り付けられる逆挿入防止部材を備え、
この逆挿入防止部材には、電線通路が形成され、
この電線通路は、一方の開口が前記逆挿入防止部材の前記一面部で前記電線貫通孔より大きく開口して当該電線貫通孔に連通し、他方の開口が前記一面部とほぼ直角をなす他面部で該一方の開口より小さく開口し、通路内壁部が前記一方の開口の縁部から前記電線挿入方向と同方向に延び途中で向きを変えて前記他方の開口の縁部に連続し、
且つ、前記電線通路における前記通路内壁部のうちの天井壁部がこれと対応する前記電線貫通孔の天井壁部と同じ高さで連続し、且つ前記貫通型カレントトランスの電線挿通方向厚みの２倍以上の長さを有し、
前記電線通路の前記通路内壁部のうち前記天井壁部と対向する床壁部は、前記一方の開口部分で前記電線貫通孔の床壁部より低くなっていて両床壁部間に段差が形成され、且つ、前記一方の開口から前記他方の開口に向かって上がり角度で傾斜し、前記他方の開口との対向部分で上がり角度がさらに大きくなって傾斜することを特徴とするプログラマブルコントローラ。
【請求項２】
前記段差の部分には貫通型カレントトランスの前記出口側端面から前記電線通路の前記天井壁部側へ向いた突片部が形成され、該突片部の頂部は電線貫通孔の中心より低い位置にあることを特徴とする請求項１に記載のプログラマブルコントローラ。
【請求項３】
前記貫通型カレントトランスにおいて前記電線貫通孔の前記電線入口側となる入口側端面に一面部が接触して前記プログラマブルコントローラ本体又は前記貫通型カレントトランスに取り付けられる挿入補助部材を備え、
この挿入補助部材には補助電線通路が形成され、
この補助電線通路は、一方の開口が前記電線貫通孔と同等の大きさをなして前記挿入補助部材の前記一面部で開口して当該電線貫通孔と連通し、他方の開口が該挿入補助部材の前記一面部とは反対側の反対面部で前記電線貫通孔より大きく開口し、さらに補助電線通路内壁部が、当該他方の開口から一方の開口にかけて順次径小となるテーパー状をなすことを特徴とする請求項１又は２に記載のプログラマブルコントローラ。
【発明の詳細な説明】
【技術分野】
【０００１】
本発明は、カレントトランスを備えたプログラマブルコントローラに関する。
【背景技術】
【０００２】
入出力モジュールであるプログラマブルコントローラは、例えば工場設備等において、外部機器に対する入出力制御を行う装置として使用される。このプログラマブルコントローラには、これ以外の部品が使う電流を監視するためのカレントトランスが取り付けられることがある。
【０００３】
この場合、ユーザーが作業しやすい貫通型カレントトランスも使用される。この貫通型カレントトランスは、電線貫通孔に対して被測定対象電線を挿通させて使用されるが、プログラマブルコントローラの使用環境によっては、推奨される電線挿入方向が特定されることがある。なお、特許文献１においては、プログラマブルコントローラにワイヤを案内部材で束ねる構成が開示されているが、カレントトランスに電線の挿入方向を特定する技術は開示されていない。
【先行技術文献】
【特許文献】
【０００４】
【特許文献１】特開平２−２１６５０３号公報
【発明の概要】
【発明が解決しようとする課題】
【０００５】
ところが、貫通型カレントトランスは、電線貫通孔に対してどの方向からでも電線を挿入できるようになっているため、組み立てに慣れていない作業者にとっては上記推奨される特定方向とは逆方向から挿入してしまうおそれもある。
【０００６】
本発明は上述の事情に鑑みてなされたものであり、その目的は、貫通型カレントトランスが取り付けられたプログラマブルコントローラにおいて、特定された電線挿通方向のみから電線を挿通できて逆方向からの挿入を確実に防止できるプログラマブルコントローラを提供することにある。
【課題を解決するための手段】
【０００７】
請求項１のプログラマブルコントローラは、プログラマブルコントローラ本体に貫通型カレントトランスを設けて構成され、前記貫通型カレントトランスが有する電線貫通孔に対する電線の挿入方向が特定されたプログラマブルコントローラであって、前記貫通型カレントトランスの前記電線貫通孔の前記電線出口側となる出口側端面に一面部が接触して前記プログラマブルコントローラ本体又は前記貫通型カレントトランスに取り付けられる逆挿入防止部材を備え、この逆挿入防止部材には、電線通路が形成され、この電線通路は、一方の開口が前記逆挿入防止部材の前記一面部で前記電線貫通孔より大きく開口して当該電線貫通孔に連通し、他方の開口が前記一面部とほぼ直角をなす他面部で該一方の開口より小さく開口し、通路内壁部が前記一方の開口の縁部から前記電線挿入方向と同方向に延び途中で向きを変えて前記他方の開口の縁部に連続し、且つ、前記電線通路における前記通路内壁部のうちの天井壁部がこれと対応する前記電線貫通孔の天井壁部と同じ高さで連続し、且つ前記貫通型カレントトランスの電線挿通方向厚みの２倍以上の長さを有し、前記電線通路の前記通路内壁部のうち前記天井壁部と対向する床壁部は、前記一方の開口部分で前記電線貫通孔の床壁部より低くなっていて両床壁部間に段差が形成され、且つ、前記一方の開口から前記他方の開口に向かって上がり角度で傾斜し、前記他方の開口との対向部分で上がり角度がさらに大きくなって傾斜するところに特徴を有する。
【０００８】
この請求項１においては、作業者が、貫通型カレントトランスの電線貫通孔に対して特定方向から電流検出対象である電線を入れた場合には、該電線は、該電線貫通孔を貫通して、前記貫通型カレントトランス出口側端面に取り付けられた逆挿入防止部材の電線通路にその一方の開口から挿入される。このとき、電線貫通孔の天井壁部と電線通路の天井壁部とは同じ高さで連続していると共に、前記段差は電線貫通孔から逆挿入防止部材の電線通路方向をみて立ち下がり壁となるから、電線が電線貫通孔の天井壁部近くを通ったとしても、又床壁部近くを通ったとしても、電線通路の天井壁部及び床壁部につかえることなく電線通路に進入する。そして、電線通路の床壁部の傾斜により方向転換されて他方の開口から外部に出る。このとき、床壁部が最初緩やかに傾斜し他方の開口の対向部分でこれより急に傾斜するから、つまり、二段傾斜となっているから、電線は他方の開口へと無理なく向き変更されて、スムーズに外部へ出るようになる。このように貫通型カレントトランスの電線貫通孔に対して特定された電線挿入方向に電線を入れた場合には、該電線は逆挿入防止部材の電線通路をスムーズに通って外部に出る。
【０００９】
一方、作業者が、知らずに、貫通型カレントトランスの電線貫通孔に特定挿入方向とは逆方向で通じる逆挿入防止部材の他方の口部から、電線を挿入した場合、まず、その先端が当該他方の口部と対向する電線通路の床壁部に当たる。当該対向部分では傾斜しているため、電線が一方の開口方向へ向き変更され、この床壁部はさらに他方の口部からみて奥方へ順次低くなっているから、作業者の電線挿入操作によって該床壁部に押し付けられている電線先端部が必然的にこの床壁部の傾斜に沿ってさらに奥方へ向かう。ところが、この床壁部の最奥の部分である一方の開口部分では、貫通型カレントトランスの出口側端面との段差が、他方の開口から当該一方の開口方向をみて立ち上がり壁となっているから、そこで電線先端の進入が完全に阻止され、これにより、電線が貫通型カレントトランスの電線貫通孔に逆方向から挿通されることを確実に防止できる。そして、作業者は、電線の挿入が完全に阻止されたことで、逆方向挿入に気が付き、電線挿入を、特定方向からやり直すことになる。
【００１０】
そして、前記電線通路の天井壁部が前記貫通型カレントトランスの電線挿通方向厚みの２倍以上の長さを有するから、次の点で有効である。すなわち、上述の逆挿入の場合、電線先端部が前記段差に突き当たったところで、作業者によっては、なんとか電線貫通孔を探り当てようとして、電線を何度か押し引きしたり、あるいは捩じったりする挙動をとることがある。この場合、作業者の挙動によっては、該挙動部分と接近する電線先端が暴れ、偶然的に電線貫通孔に入ってしまうことも懸念される。
【００１１】
この点を改善すべく本発明者では、電線通路の天井壁部の長さに着目し、その長さを種々変更して電線挿入時における上記挙動を試みたところ、上記電線通路の天井壁部の長さが短いと、例えば貫通型カレントトランスの電線挿通方向厚みの２倍に満たないような長さであると、電線における作業者の前記挙動部分（他方の開口部分）と電線先端部（段差部分）との距離が短いため、電線先端が電線貫通孔に入ってしまうおそれがあり、そして、電線通路の天井壁部の長さが、貫通型カレントトランスの電線挿通方向厚みの２倍以上の長さであれば、電線先端が電線貫通孔に入ることがないことが分った。
【００１２】
従って、上記構成によれば、前記電線通路の天井壁部が前記貫通型カレントトランスの電線挿通方向厚みの２倍以上の長さを有するから、電線における作業者の挙動部分から電線先端部までの距離が遠くなって、作業者の挙動が電線先端まで暴れとして伝わることがなく、電線の逆挿入を確実に防止できる。又、電線の先端側が少し円弧状となっている場合には、この電線通路の天井壁部が長いことから、電線貫通孔に入る前に、この天井壁部に当ってそれ以上進まないから、この場合も電線貫通孔への電線の侵入を防止できる。
【００１３】
又、請求項２のプログラマブルコントローラは、前記段差の部分に、貫通型カレントトランスの前記出口側端面から前記電線通路の前記天井壁部側へ向いた突片部を形成し、該突片部の頂部を電線貫通孔の中心より低い位置としたところに特徴を有する。
【００１４】
これによれば、電線が逆挿入されたとき、前記突片部が、立ち上がり壁となる段差部分で反り返り形態となるから、電線の電線貫通孔への逆挿入をさらに確実に防止できる。さらに、該突片部の頂部を電線貫通孔の中心より低い位置としているから、特定方向からの電線挿入時に、当該突片部がその挿入の邪魔になることはない。
【００１５】
又、請求項３のプログラマブルコントローラは、前記貫通型カレントトランスにおいて前記電線貫通孔の前記電線入口側となる入口側端面に一面部が接触して前記プログラマブルコントローラ本体又は前記貫通型カレントトランスに取り付けられる挿入補助部材を備え、この挿入補助部材には補助電線通路が形成され、この補助電線通路は、一方の開口が前記電線貫通孔と同等の大きさをなして前記挿入補助部材の前記一面部で開口して当該電線貫通孔と連通し、他方の開口が該挿入補助部材の前記一面部とは反対側の反対面部で前記電線貫通孔より大きく開口し、さらに補助電線通路内壁部が、当該他方の開口から一方の開口にかけて順次径小となるテーパー状をなすところに特徴を有する。
【００１６】
この構成によれば、電線を特定方向から電線貫通孔に挿入するときには、上記挿入補助部材の補助電線通路に電線を挿入することになる。このとき、補助電線通路内壁部が、当該他方の開口から一方の開口にかけて順次径小となるテーパー状をなすから、電線が極めてスムーズに電線貫通孔に案内されて挿入される。そして、作業者は、特定方向での電線挿入ではこの挿入補助部材により電線の挿入が極めて容易であることを実感し、反して逆方向の電線挿入では電線挿入が拒絶されることを実感するから、自ずと、特定方向を明確に体感できて間違えることがなくなる。もって、逆方向挿入防止をさらに確実化できる。
【図面の簡単な説明】
【００１７】
【図１】本発明の第１実施形態を示すもので、逆方向挿入説明のための要部（カレントトランス、逆挿入防止部材及び挿入補助部材部分）の縦断正面図
【図２】（ａ）〜（ｃ）は特定方向挿入を時系列的に説明するための要部の縦断正面図
【図３】要部の縦断正面図
【図４】要部の平面図
【図５】要部の右側面図
【図６】要部の左側面図
【図７】プログラマブルコントローラ全体の斜視図
【図８】逆挿入防止部材及び挿入補助部材を省略したプログラマブルコントローラの斜視図
【図９】本発明の第２実施形態を示す図１相当図
【図１０】（ａ）、（ｂ）は特定方向挿入を時系列的に説明するための要部の縦断正面図
【発明を実施するための形態】
【００１８】
以下、本発明の第１実施形態について図１ないし図８を参照して説明する。図８にはプログラマブルコントローラ（以下、ＰＬＣ（programmable logic controller）と称する）１を示している。このＰＬＣ１は、例えば工場設備等において使用され、外部機器（例えば、モータ、ベルトコンベア、電磁弁、表示装置、ランプ等）に対する入出力制御を行うものである。このＰＬＣ1の外筐であるプログラマブルコントローラ本体（以下ＰＬＣ本体と称する）２には外部機器と接続される端子台３、４が設けられていると共に、貫通型カレントトランス（以下単にカレントトランスという）５、６が前後に並んで取り付けられている。このカレントトランス５、６はいずれも同じ構成であり、左右に開通する電線貫通孔５ａ、６ａを有する。この場合、これら電線貫通孔５ａ、６ａに対して挿通される被測定対象である電線７（図１、図２参照）の推奨される方向は矢印Ａ方向に特定されている。この特定方向Ａは、図示しない外部機器の配置関係などにより決定されている。
【００１９】
前記カレントトランス５、６には、それぞれ逆挿入防止部材８及び挿入補助部材９が図７に示すように取り付けられている。
まず、上記逆挿入防止部材８について図３ないし図６を参照して説明する。この逆挿入防止部材８は例えばプラスチック製であり、外形が直方体をなしており、図３における一面部に相当する右面部８ａが前記カレントトランス５の電線貫通孔５ａの電線出口側となる出口側端面５ｂに接触した状態で例えばプログラマブルコントローラ本体２に接着などにより取り付けられている。この逆挿入防止部材８は前記カレントトランス５に取り付けても良いし、カレントトランス５とプログラマブルコントローラ本体２の双方に取り付けても良い。なお、この逆挿入防止部材８はもう一つのカレントトランス６にも取り付けられているが、両カレントトランス５、６は同じ形状であるので、以下、カレントトランス５に取り付けられた逆挿入防止部材８について述べる。
【００２０】
この逆挿入防止部材８には、電線通路１０が形成されている。この電線通路１０の一方の開口である一方側開口１０ａは、前記逆挿入防止部材８の前記右面部８ａで前記電線貫通孔５ａより大きく開口して該電線貫通孔５ａに連通している。この一方側開口１０ａは前後方向に長く上下方向に短い長方形をなしている。
【００２１】
さらにこの電線通路１０の他方の開口である他方側開口１０ｂは、前記右面部８ａとほぼ直角をなす他面部である上面部８ｂで該一方側開口１０ａより小さく開口している。この場合、この他方側開口１０ｂは円形をなしている。この他方側開口１０ｂ及び前記一方側開口１０ａはいずれも前記電線貫通孔５ａより大きい。
【００２２】
そして、電線通路１０の通路内壁部１０ｃは、前記一方側開口１０ａの縁部から前記電線挿入方向である矢印Ａ方向と同方向に延び、途中で向きを変えて前記他方側開口１０ｂの縁部に連続する。さらに、この電線通路１０における前記通路内壁部１０ｃのうちの天井壁部１０ｃ１は、これと対応する前記電線貫通孔５ａの天井壁部５ａ１と同じ高さで連続し、且つ前記カレントトランス５の電線挿通方向厚みｔ（図４参照）の２倍以上の長さＬ（図３参照）を有する。
【００２３】
そして、前記電線通路１０の前記通路内壁部１０ｃのうち前記天井壁部１０ｃ１と対向する床壁部１０ｃ２は、前記一方側開口１０ａ部分で前記電線貫通孔５ａの床壁部５ａ２より低くなっていて両床壁部５ａ２及び１０ｃ２間に段差１１が形成されている。この段差１１とは、カレントトランス５にあって両床壁部５ａ２、１０ｃ２間に位置する壁面のことをいう。
さらに、この床壁部１０ｃ２は、前記一方側開口１０ａから前記他方側開口１０ｂに向かって最初緩やかな上がり角度α（図３参照）で傾斜し、前記他方側開口１０ｂとの対向部分で上がり角度がさらに大きくなって（角度β）傾斜している。
【００２４】
前記挿入補助部材９は、例えばプラスチック製であり、外形が直方体をなしており、前記カレントトランス５、６において前記入口側端面５ｃ、６ｃ（電線貫通孔の前記電線入口側となる入口側端面に相当）に夫々一面部９ａが接触して前記ＦＰＣ本体２又は前記カレントトランス５に取り付けている。以下、カレントトランス５に取り付けられた挿入補助部材９について説明する。
【００２５】
この挿入補助部材９には補助電線通路１２が形成されている。この補助電線通路１２の一方の開口である一方側開口１２ａは、前記電線貫通孔５ａと同等の大きさの円形をなして前記挿入補助部材９の前記一面部９ａで開口し、前記電線貫通孔５ａと連通している。この補助電線通路１２の他方の開口である他方側開口１２ｂは、円形をなし、挿入補助部材９の前記一面部９ａとは反対側の反対面部９ｂで前記電線貫通孔５ａより大きく開口している。さらに補助電線通路内壁部１２ｃが、当該他方側開口１２ｂから一方側開口１２ａにかけて順次径小となるテーパー状をなす。
【００２６】
さて、上記構成の作用について説明する。今、作業者が、電流検出対象である電線７を、図２に示すように、カレントトランス５の電線貫通孔５ａに対して特定された電線挿入方向である矢印Ａ方向側から挿入補助部材９の補助電線通路１２内に挿入した場合には、この電線７は、この補助電線通路１２をスムーズに通過して、電線貫通孔５ａを貫通し、そして、電線貫通孔５ａの電線出口側に取り付けられた逆挿入防止部材８の電線通路１０にその一方側開口１０ａから挿入される。
【００２７】
このとき、電線貫通孔５ａの天井壁部５ａ１と電線通路１０の天井壁部１０ｃ１とは同じ高さで連続していると共に、前記段差１１は電線貫通孔５ａから逆挿入防止部材８の電線通路１０方向をみて立ち下がり壁となるから、電線７が電線貫通孔５ａの天井壁部５ａ１近くを通ったとしても、又床壁部５ａ２近くを通ったとしても、電線通路１０の天井壁部１０ｃ１及び床壁部１０ｃ２につかえることなく該電線通路１０に進入する。
【００２８】
そして、電線通路１０の床壁部１０ｃ２の傾斜により方向転換されて他方側開口１０ｂから外部に出る。このとき、床壁部１０ｃ２が最初緩やかに傾斜し他方側開口１０ｂの対向部分でこれより急に傾斜するから、つまり、二段傾斜となっているから、電線７は他方側開口１０ｂへと無理なく向き変更されて、スムーズに外部へ出るようになる。
このようにカレントトランス５の電線貫通孔５ａに対して特定された電線挿入方向に電線７を入れた場合には、該電線７は逆挿入防止部材８の電線通路１０をスムーズに通って外部に出る。
【００２９】
一方、作業者が、知らずに、カレントトランス５の電線貫通孔５ａに特定挿入方向とは逆方向で通じる逆挿入防止部材８の他方側口１０ｂから、電線７を挿入した場合（図１参照）、まず、その電線７先端が当該他方側口１０ｂと対向する電線通路１０の床壁部１０ｃ２に当たる。この床壁部１０ｃ２は当該対向部分では傾斜しているため、電線７が一方側開口１０ａ方向へ向き変更される。そして、この床壁部１０ｃ２がさらに他方側口１０ｂからみて奥方へ順次低くなっているから、作業者の電線挿入操作によって該床壁部１０ｃ２に押し付けられている電線７先端部は必然的にこの床壁部１０ｃ２の傾斜に沿ってさらに奥方へ向かう。
【００３０】
ところが、この床壁部１０ｃ２の最奥の部分である一方側開口１０ａ部分では、カレントトランス５の出口側端面５ｂとの段差１１が、他方側開口１０ｂから当該一方側開口１０ａ方向をみて立ち上がり壁となっているから、そこで電線７先端部の進入が完全に阻止され、これにより、電線７がカレントトランス５の電線貫通孔５ａに逆方向から挿通されることを確実に防止できる。そして、作業者は、電線７の挿入が完全に阻止されたことで、逆方向挿入に気が付き、電線７の挿入を、特定方向からやり直すことになる。
【００３１】
ここで、上述の逆挿入の場合、電線７先端部が前記段差１１に突き当たったところで、作業者によっては、なんとか電線貫通孔５ａを探り当てようとして、電線７を何度か押し引きしたり、あるいは捩じったりする挙動をとることがある。この場合に、上記電線通路１０の天井壁部１０ｃ１の長さが短いと、例えばカレントトランス５の電線挿通方向厚みｔの２倍に満たないような長さであると、電線７における作業者の前記挙動部分（他方側開口１０ｂ部分）と電線７先端部（段差１１部分）との距離が短いため、作業者の挙動によっては、該挙動部分と接近する電線７先端部が暴れ、偶然的に電線貫通孔５ａに入ってしまうことも懸念される。この点、上記実施形態によれば、前記電線通路１０の天井壁部１０ｃ１が前記カレントトランス５の電線挿通方向厚みｔの２倍以上の長さＬを有するから、電線７における作業者の挙動部分から電線７先端部までの距離が遠くなって、作業者の挙動が電線７先端部まで暴れとして伝わることがなく、電線７の逆挿入を確実に防止できる。又、電線７の先端側が少し円弧状となっている場合には、この電線通路１０の天井壁部が長いことから、電線貫通孔５ａに入る前に、この天井壁部１０ｃ１に当ってそれ以上進まないから、この場合も電線貫通孔５ａへの電線７の侵入を防止できる。
【００３２】
又、本実施形態によれば、カレントトランス５における入口側端面５ｃに挿入補助部材９を取り付けたから、電線７を特定方向から電線貫通孔に挿入するときには、上記挿入補助部材９の補助電線通路１２に電線を挿入することになる。このとき、補助電線通路内壁部１２ｃが、当該他方側開口１２ｂから一方側開口１２ａにかけて順次径小となるテーパー状をなすから、電線７が極めてスムーズに電線貫通孔５ａに案内されて挿入される。そして、作業者は、特定方向での電線挿入ではこの挿入補助部材９により電線７の挿入が極めて容易であることを実感し、反して逆方向の電線挿入では電線７の挿入が拒絶されることを実感するから、自ずと、特定方向を明確に体感できて、挿入間違いがなくなる。もって、逆方向挿入防止をさらに確実化できる。
【００３３】
次に、図９及び図１０は本発明の第２実施形態を示しており、この実施形態では、突片部１３を設けたところが前記第１実施形態と異なる。すなわち、前記段差１１の部分に、カレントトランス５の前記出口側端面５ｂから前記電線通路１０の前記天井壁部１０ｃ１側へ向いた突片部１３を形成し、該突片部１３の頂部を電線貫通孔５ａの中心（中心線を符号ＣＬで示している）より低い位置としている。この突片部１３は、前記逆挿入防止部材８に一体に形成しても良いし、別部材で構成して図示位置でカレントトランス５の出口側端面５ｂに取着しても良い。
【００３４】
図１９に示すように、電線７が逆挿入されたとき、前記突片部１３が、立ち上がり壁となる段差１１部分で反り返り形態となるから、段差１１に向かう電線７先端をこの段差１１下部に案内でき、且つこの段差１１に当たった電線７先端部が電線貫通孔５ａ方向へ行かないようでき、もって、電線７の逆挿入をさらに確実に防止できる。
又、図１０に示すように、特定方向からの電線７挿入時には、該突片部１３の頂部を電線貫通孔５ａの中心より低い位置としているから、当該突片部１３がその挿入の邪魔になることはない。
【符号の説明】
【００３５】
図面中、１はＰＬＣ（プログラマブルコントローラ）、２はＰＬＣ本体（プログラマブルコントローラ本体）、５、６は貫通型カレントトランス、５ａ、６ａは電線貫通孔、５ａ−１は天井壁部、５ａ−２は床壁部、５ｂは出口側端面、５ｃは入口側端面、７は電線、８は逆挿入防止部材、８ａは右面部（一面部）、８ｂは上面部（他面部）、９は挿入補助部材、９ａは一面部、９ｂは反対面部、１０は電線通路、１０ａは一方側開口（一方の開口）、１０ｂは他方側開口（他方の開口）、１０ｃ１は天井壁部、１０ｃ２は床壁部、１１は段差、１２は補助電線通路、１２ａは一方側開口１２ａ、１２ｂは他端側開口、１３は突片部を示す。
【図１】
2011198058.tif 000003
【図２】
2011198058.tif 000004
【図３】
2011198058.tif 000005
【図４】
2011198058.tif 000006
【図５】
2011198058.tif 000007
【図６】
2011198058.tif 000008
【図７】
2011198058.tif 000009
【図８】
2011198058.tif 000010
【図９】
2011198058.tif 000011
【図１０】
2011198058.tif 000012